(57)【特許請求の範囲】
【請求項１】
電池の電解液抵抗成分ＲＳＯＬおよび電荷移行抵抗成分ＲＣＴを決定する抵抗成分決定部と、
使用サイクル数をパラメータとするＲＳＯＬおよびＲＣＴの劣化推移情報を参照して、決定したＲＳＯＬおよびＲＣＴの内からより劣化が進行している抵抗成分について、推定現在使用サイクル数を求め、この推定現在使用サイクル数を用いて放電容量が下限値に到達するまでの残サイクル数と放電時間が下限値に到達するまでの残サイクル数の内小さい残サイクル数を電池の現在価値を表す指標とする指標算出部と
を備えた診断装置。
【請求項２】
電池の電解液抵抗成分ＲＳＯＬおよび電荷移行抵抗成分ＲＣＴを決定する抵抗成分決定部と、
前記少なくとも一つの電池を含む電池パックをステップダウン充放電する充放電器と、
前記充放電器を動作させて複数の電流による充放電を制御して各Ｃレート時の電池容量を求める電池容量決定部と、
電池の特性を表す前記各Ｃレート時の電池容量、ＲＳＯＬおよびＲＣＴの履歴情報を取得して、前記履歴情報と温度条件が異なる複数の参照用劣化データとを比較して最も合致する劣化データを選択し、選択した劣化データに基づいて現在の電池の劣化状態をそれぞれの特性について数値化し、将来の用途に応じた係数で前記数値を重み付けした新たな数値を合計した値を電池の現在価値指標とする現在価値指標算出部と
を備えた診断装置。
【請求項３】
電池の電解液抵抗成分ＲＳＯＬおよび電荷移行抵抗成分ＲＣＴを決定する抵抗成分決定部と、
前記少なくとも一つの電池を含む電池パックをステップダウン充電する充電器と、
前記制御部は、
前記充電器を動作させて複数のステップダウン電流による充電を制御して、最初の電流による充電終了時から最後の電流による充電終了時までの時間情報を求める時間情報取得部と、
電池の特性を表す前記時間情報、ＲＳＯＬおよびＲＣＴの履歴情報を取得して、前記履歴情報と温度条件が異なる複数の参照用劣化データとを比較して最も合致する劣化データを選択し、選択した劣化データに基づいて現在の電池の劣化状態をそれぞれの特性について数値化し、将来の用途に応じた係数で前記数値を重み付けした新たな数値を合計した値を電池の現在価値指標とする現在価値指標算出部と
を備えた診断装置。
【請求項４】
少なくとも一つの電池の両端に複数の周波数の交流電圧をスイープして印加する交流発振部と、
印加される周波数毎に前記少なくとも一つの電池の両端に発生する電圧変化と電流変化とをそれぞれ測定する電圧測定部及び電流測定部とを有し、
前記抵抗成分決定部は、前記測定した周波数毎の電圧変化と電流変化とから電池の周波数毎のインピーダンスを複素表現として求め、前記電池の電解液抵抗成分ＲＳＯＬおよび電荷移行抵抗成分ＲＣＴを含む等価回路のインピーダンスが、前記複素表現のインピーダンスとフィットするように前記ＲＳＯＬおよびＲＣＴを決定する請求項１乃至３の内いずれか１項に記載の診断装置。
【請求項５】
少なくとも一つの電池の両端に複数の周波数の正弦波を重畳した交流電圧を印加する交流発振部と、
印加される交流電圧によって前記少なくとも一つの電池の両端に発生する電圧変化と電流変化とをそれぞれ測定する電圧測定部及び電流測定部とを有し、
前記抵抗成分決定部は、前記電圧変化と電流変化の波形をフーリエ変換して前記電池の周波数毎のインピーダンスを複素表現として求め、前記電池の電解液抵抗成分ＲＳＯＬおよび電荷移行抵抗成分ＲＣＴを含む等価回路のインピーダンスが、前記複素表現のインピーダンスとフィットするように前記ＲＳＯＬおよびＲＣＴを決定する請求項１乃至３の内いずれか１項に記載の診断装置
【請求項６】
少なくとも一つの電池を含む電池パックを充放電する充放電器を有し、
前記抵抗成分決定部は、前記ＲＳＯＬおよびＲＣＴを決定するに際し、前記充放電器を制御して前記電池パックの充電状態ＳＯＣを略５０％とする請求項１に記載の診断装置。
【請求項７】
請求項１乃至３の内１項に記載の診断装置と接続可能になされた電池パックであって、
少なくとも複数の電池が直列に接続された電池モジュールと、
前記電池の電圧、温度を測定する電圧・温度測定器と、
前記診断装置との情報授受を行うための通信線を接続する通信端子と、
前記少なくとも一つの電池の両端からの配線を接続する第１の端子と、
前記電池モジュールの両端からの配線を接続する第２の端子とを有し、
前記電池モジュールの外装には、前記少なくとも一つの電池の両端と接続するための配線導通孔が設けられている電池パック。
【請求項８】
前記電圧・温度測定器の測定情報が入力されるＢＭＳ（Battery Management System）を含み、
前記ＢＭＳは、
接続された診断装置より電池容量、ＲＳＯＬおよびＲＣＴを前記通信端子を介して取得し、
前記電圧・温度測定器が測定した温度情報とともに履歴情報としてメモリに蓄積する請求項７に記載の電池パック。
【請求項９】
前記電圧・温度測定器の測定情報が入力されるＢＭＳ（Battery Management System）を含み、
前記ＢＭＳは、
接続された診断装置より時間情報、ＲＳＯＬおよびＲＣＴを前記通信端子を介して取得し、
前記電圧・温度測定器が測定した温度情報とともに履歴情報としてメモリに蓄積し、
前記時間情報は、当該診断装置が複数のステップダウン電流による前記電池の充電を制御することで取得した、最初の電流による充電終了時から最後の電流による充電終了時までの時間情報である請求項７に記載の電池パック。
【請求項１０】
診断装置を電池に接続して各Ｃレート時の電池容量、ＲＳＯＬおよびＲＣＴを取得して履歴情報として蓄積する工程と、
電池の特性を表す前記各Ｃレート時の電池容量、ＲＳＯＬおよびＲＣＴの履歴情報を取得して、前記履歴情報と温度条件が異なる複数の参照用劣化データとを比較して最も合致する劣化データを選択し、選択した劣化データに基づいて現在の電池の劣化状態をそれぞれの特性について数値化する工程と、
将来の用途に応じた係数で前記数値を重み付けした新たな数値を合計して前記電池の現
在価値指標を作成する工程と
を具備する電池価値指標の製造方法。
【請求項１１】
診断装置を電池に接続して時間情報、ＲＳＯＬおよびＲＣＴを取得して、履歴情報として蓄積する工程と、
電池の特性を表す前記時間情報、ＲＳＯＬおよびＲＣＴの履歴情報を取得して、前記履歴情報と温度条件が異なる複数の参照用劣化データとを比較して最も合致する劣化データを選択し、選択した劣化データに基づいて現在の電池の劣化状態をそれぞれの特性について数値化する工程と、
将来の用途に応じた係数で前記数値を重み付けした新たな数値を合計して電池の現在価値指標を作成する工程とを具備し、
前記時間情報は、当該診断装置が複数のステップダウン電流による前記電池の充電を制御することで取得した、最初の電流による充電終了時から最後の電流による充電終了時までの時間情報である電池価値指標の製造方法。
【発明の詳細な説明】
【技術分野】
【０００１】
本発明は、電池の劣化状態、電池の現在価値を判定する技術に関する。
【背景技術】
【０００２】
電気自動車（ＥＶ）に搭載される電池は高価であり、ノート型パソコンや携帯電話などの電子機器と比べても、本体価格に占める電池の価格割合が高い。例えば、電気自動車の最大のコスト要因は高価格の電池であるとの指摘もなされている。従って、中古車市場などで電気自動車の流通を図ろうとした場合、電池部分の現在価格を把握することが重要となる。
【０００３】
しかし、電池はその使用状況に応じて劣化度合いが異なり、使用年数や充放電サイクル数などから単純に価値を算定することができない。そのため、中古車市場などにおける電池部分の現在価格設定が困難となる。
【０００４】
そこで電池の劣化判定に関して種々の提案がなされている。  
特許文献１には、電池の劣化度を電池の内部抵抗を用いて判定する方法が提案されている。また特許文献２に開示された技術では、充放電電流の積算値を用いて電池の現在容量を求め、初期電池容量との比を求めて劣化度合いを判定している。
【先行技術文献】
【特許文献】
【０００５】
【特許文献１】特開平８−２５４５７３号公報
【特許文献２】特開２０００−１３１４０４号公報
【発明の概要】
【発明が解決しようとする課題】
【０００６】
しかし、電池容量や電力に影響を与える電池の内部抵抗成分は、実際には電解液の抵抗成分である直流抵抗だけではない。従って、特許文献１に記載されたような直流抵抗成分だけを用いる判定方法では将来の劣化傾向予測は困難である。
【０００７】
また電池が劣化してきた履歴（劣化パターン）が異なれば、現在、同じ電池容量をもつ電池同士であったとしても将来の劣化状態も同じであるとは言えない。従って、特許文献２に開示されたように、電池容量を用いた劣化度のみで現在価値を判定するのでは信頼性に欠ける。
【０００８】
また一般に、電気自動車に搭載されるバッテリはその他の用途に比して大電流・大容量という高い性能を要求されるが、その高性能な要求ゆえに車載用途を満足しなくなった使用済みバッテリも、他用途であれば十分に転用可能な場合が考えられる。  
従って、車載用として価値のなくなった電池であっても、他の用途としては価値が認められることから、電池部分の現在価格は、今後使用される用途も考慮して決定されなければならない。
【０００９】
以上述べたように、精度の良い電池の劣化状態判定手法と共に、今後の用途が考慮された合理的な電池の現在価値指標が求められる。
【００１０】
本発明は、斯かる事情に鑑みてなされたものであって、精度の良い電池の劣化状態判定手法と共に、今後の用途が考慮された合理的な電池の現在価値指標を提供することを目的とする。
【課題を解決するための手段】
【００１１】
上記課題を解決するための本発明は、電池の電解液抵抗成分ＲＳＯＬおよび電荷移行抵抗成分ＲＣＴを決定する抵抗成分決定部と、使用サイクル数をパラメータとするＲＳＯＬおよびＲＣＴの劣化推移情報を参照して、決定したＲＳＯＬおよびＲＣＴの内からより劣化が進行している抵抗成分について、推定現在使用サイクル数を求め、この推定現在使用サイクル数を用いて放電容量が下限値に到達するまでの残サイクル数と放電時間が下限値に到達するまでの残サイクル数の内小さい残サイクル数を電池の現在価値を表す指標とする指標算出部とを備えた診断装置である。
【００１２】
また本発明は、上記記載の発明である診断装置と接続可能になされた電池パックであって、少なくとも複数の単電池が直列に接続された電池モジュールと、前記単電池の電圧、温度を測定する電圧・温度測定器と、前記診断装置との情報授受を行うための通信線を接続する通信端子と、前記少なくとも一つの単電池の両端からの配線を接続する第１の端子と、前記電池モジュールの両端からの配線を接続する第２の端子とを有し、前記電池モジュールの外装には、前記少なくとも一つの単電池の両端と接続するための配線導通孔が設けられている。
【００１３】
また本発明は、診断装置を電池に接続して各Ｃレート時の電池容量、ＲＳＯＬおよびＲＣＴを取得して履歴情報として蓄積する工程と、電池の特性を表す前記各Ｃレート時の電池容量、ＲＳＯＬおよびＲＣＴの履歴情報を取得して、前記履歴情報と温度条件が異なる複数の参照用劣化データとを比較して最も合致する劣化データを選択し、選択した劣化データに基づいて現在の電池の劣化状態をそれぞれの特性について数値化する工程と、将来の用途に応じた係数で前記数値を重み付けした新たな数値を合計して前記電池の現在価値指標を作成する工程とを具備する電池価値指標の製造方法である。
【発明の効果】
【００１４】
この発明によれば、精度の良い電池の劣化状態判定手法と共に、今後の用途が考慮された合理的な電池の現在価値指標を提供することができる。
【図面の簡単な説明】
【００１５】
【図１】二次電池の性能に関連する指標それぞれの推移を示す図。
【図２】診断装置と電池パックとの接続を示す図。
【図３】診断装置の制御器の測定動作を示す概略のフロー図。
【図４】測定結果をコール・コールプロットで表した図。
【図５】フィッティングに使用する電池の等価回路を示す図。
【図６】不揮発性メモリに保存される情報を例示する図。
【図７】使用可能サイクル数を算出する方法を示す図。
【図８】充放電を行って各Ｃレートでの容量を求める概略の処理手順を示すフロー図。
【図９】充放電によって得られる電流積算量の関係を示す図。
【図１０】各Ｃレート容量でのリファレンス情報例を示す図。
【図１１】ＲＳＯＬ、ＲＣＴでのリファレンス情報例を示す図。
【図１２】点数を求めるための点数表を示す図。
【図１３】電池の用途に応じた係数を表す係数表を示す図。
【図１４】充電によって得られる時間ＴＨ４、時間ＴＨ１の関係を示す図。
【発明を実施するための形態】
【００１６】
［第１の実施の形態］  
一般に、電池の内部抵抗とは、電池内部に存在する直流の抵抗成分のことを意味することが多い。しかし電池に直流電圧を印加し続けると、イオンが時間の経過と共に電極に偏ることで電流が流れにくくなる。この現象は、オーミック（ｏｈｍｉｃ）な抵抗以外に電流と電圧に位相差を生じさせるインピーダンス成分が存在していることを示している。
【００１７】
一般に電池には、直流の抵抗成分であり電解液に起因する電解液抵抗成分ＲＳＯＬ（ｓｏｌｕｔｉｏｎ  ｒｅｓｉｓｔａｎｔ）、及び交流の抵抗成分である電荷移行抵抗成分ＲＣＴ（ｃｈａｒｇｅ  ｔｒａｎｓｆｅｒ  ｒｅｓｉｓｔａｎｔ）が存在する。本発明の第１の実施の形態では、ＲＣＴ、ＲＳＯＬ双方の抵抗成分を考慮することにより信頼性の高い二次電池の現在価値判定手法を提供する。
【００１８】
図１は、二次電池の性能に関連する指標それぞれの推移を示す図である。図１の横軸は二次電池の使用サイクル数を表している。左側の縦軸は、連続放電時間（ｍｉｎ）及び放電容量（Ａｈ）を表し、右側の縦軸は、ＲＣＴ（ｍΩ）及びＲＳＯＬ（ｍΩ）を表している。
【００１９】
図１に示すように、ＲＳＯＬは９００サイクルまではほぼリニアに増加するが、それ以降に不連続とも言えるほど急激な増加を示す。この急激な抵抗増加を検知することによって電池の劣化が加速していると把握することができる。一方、二次電池の性能の指標である連続放電時間および放電容量の推移曲線では、ＲＳＯＬの変化に先んじて７００サイクル付近から性能劣化が見られている。しかし、ＲＳＯＬの推移曲線は、７００サイクル付近では増加傾向に変化が見られず、従って、ＲＳＯＬの測定だけでは劣化を捉えるには不十分であることがわかる。
【００２０】
これに対して、ＲＣＴでは７００サイクル付近で既に増加の傾向を示しており、９００サイクル付近ではその傾向は更に顕著なものとなっている。  
通常、二次電池の使用によって電極の表面には皮膜が蓄積し、これによってＲＣＴが増加する。電極の表面に皮膜が蓄積していく場合は、ＲＣＴの増加はリニアである。ところで、二次電池では電極の結晶構造の崩壊やバルククラックと呼ばれる電極の微細化現象が発生すると、微細化した隙間に皮膜が蓄積する。この電極の微細化が発生するとそれに伴って電極の表面積が増加するためＲＣＴは加速度的に増加する。図１に示すＲＣＴの曲線はこの特性を良く表している。
【００２１】
一方、直流抵抗成分ＲＳＯＬに対し、結晶構造の崩壊やバルククラックなどの現象は、当初は影響を与えないが、電極に形成される皮膜の成長を加速するため、ある程度進行すると急激に電池性能を劣化させる傾向が強い。  
ＲＳＯＬの推移曲線が、７００サイクル付近では増加傾向に変化が見られず、９００サイクル以降で急激に増加しているのは、このことを示している。
【００２２】
以上より、電池劣化の将来予測にはＲＳＯＬのみの観測では不十分であり、ＲＣＴの観測を併せて行うことが不可欠である。
【００２３】
続いて、ＲＳＯＬ、ＲＣＴの測定方法について説明する。  
図２は、第１の実施の形態に係る診断装置１００と電池パック２００との接続を示す図である。電池パック２００は、通常は電気自動車などに搭載されて電源を供給する。診断装置１００は、電池パック２００と接続してＲＳＯＬ、ＲＣＴを測定する。
【００２４】
電池パック２００では、電池モジュール２０１、２０２が直列に接続されて組電池を構成している。図２では、電池モジュールの直列数は２個となっているが、この数は２個以上、任意の個数で良い。また、一つの電池モジュールには８個の単電池（セル）が含まれているが、この数は２個以上、任意の個数で良い。さらに、単電池は直列のみでなく並列に接続されていても良い。
【００２５】
組電池の正極は接続端子２０３に接続され、負極は電流検出器２１２を介して接続端子２０４に接続されている。  
電池モジュールの外装にはホール（孔）が設けられて、このホールを介して単電池の一つの正極と負極とからの配線が端子２０５と接続している。この端子２０５に、ＲＳＯＬ、ＲＣＴを測定するための診断装置１００からの信号線が接続される。
【００２６】
また電池モジュール２０１、２０２の単電池の端子は、電圧温度測定器２１１に接続されている。電圧温度測定器２１１は、電池モジュール２０１、２０２に含まれる単電池の電圧、温度を監視のために周期的に測定する。
【００２７】
電圧温度測定器２１１の測定情報は、ＢＭＳ（Battery Management System）２１０に入力される。またＢＭＳ２１０は、電流検出器２１２で検出した電流値を信号線（不図示）を介して入力する。ＢＭＳ２１０は、上述の電圧、温度、電流値を収集すると共に、収集した値に基づいて電池残量ＳＯＣ（State of Charge）などの指数を算出する。
【００２８】
更に、ＢＭＳ２１０は、通信端子２０６を介して外部機器（例えば、自動車用エンジン制御装置ＥＣＵ、診断装置１００）と通信を行って各種情報を授受すると共に、不揮発性メモリ２１３に収集した情報、算出した情報、授受した情報などを格納する。
【００２９】
診断装置１００には、交流インピーダンス法測定器１１０、充放電器１２０、開始スイッチ１２１及び制御器１２２が設けられている。  
交流インピーダンス法測定器１１０は、交流発振部１１１、電圧測定器１１２及び電流測定器１１３を備え、交流発振部１１１からの複数周波数をスイープした交流電圧を端子２０５を介して電池に付与する。そして、それぞれの周波数の下で電圧測定器１１２及び電流測定器１１３で電圧及び電流を測定する。
【００３０】
充放電器１２０は、急速充放電が可能である。充放電器１２０の正極は電池パック２００の接続端子２０３と接続し、負極は電池パック２００の接続端子２０４と接続する。  
制御器１２２は、充放電器１２０の動作を制御すると共に交流インピーダンス法測定器１１０からの測定信号に基づいてＲＳＯＬ、ＲＣＴを測定する。開始スイッチ１２１は、制御器１２２に対して測定動作開始タイミングを指示する。
【００３１】
なお、制御器１２２は、充放電器１２０、交流インピーダンス法測定器１１０内の交流発振部１１１、電圧測定器１１２および電流計測器１１３と通信線で接続されている。更に、制御器１２２は、電池パック２００のＢＭＳ２１０とも通信線で接続される。
【００３２】
次に、診断装置１００によるＲＳＯＬ、ＲＣＴの測定動作について説明する。
【００３３】
電気自動車の定期診断などにおいて、測定者は、電池パック２００の電気自動車との接続を外し、診断装置１００と信号接続する。そして、測定者は図２に示す状態に電池パック２００と診断装置１００とを接続した後、測定を開始する。
【００３４】
図３は、診断装置１００の制御器１２２の測定動作を示す概略のフロー図である。
【００３５】
ステップＳ０１において、制御器１２２は、診断装置１００に電池パック２００が接続され開始スイッチ１２１が押下されたことを検知すると、ステップＳ０２において、ＢＭＳ２１０と通信を行って現在の電池のＳＯＣを受信する。
【００３６】
ステップＳ０３において、制御器１２２は、ＢＭＳ２１０と通信による情報授受を行って電池の現在のＳＯＣを５０％にセットする動作を行う。即ち、ＳＯＣが５０％以上であれば急速充放電器を制御し放電して、５０％未満であれば充電する。  
ここで、ＳＯＣを５０％にセットするのは、以降に実施する交流インピーダンス測定での充放電において電池が過充電状態、過放電状態となることを回避するためである。ところで、ＢＭＳ２１０が算出するＳＯＣは電池パック２００全体としてのＳＯＣであるため、交流インピーダンス測定の対象となる単電池がステップＳ０３の動作の結果で５０％になっているとはいえない。しかし、ＳＯＣを５０％にセットする動作は、上述のように過充電状態を回避することが目的であるため、単電池が厳密に５０％とならなくても良い。
【００３７】
ステップＳ０４において、交流インピーダンス法測定器１１０は、電圧振幅±１０ｍＶの交流電圧を周波数１ｍＨｚ〜１０００ｋＨｚの範囲で１０倍刻み（１ｍＨｚ、１０ｍＨｚ、１００ｍＨｚ・・・１０００ｋＨｚ）でスイープさせ、単電池（セル）に対して印加する。この動作に合わせて、電流検出器１１３および電圧検出器１１２は、それぞれ単電池に流れる電流及び電圧を測定する。
【００３８】
続いて制御器１２２は、各周波数における電流変化と電圧変化波形を電流検出器１１３および電圧検出器１１２により取得し、その電流電圧比より得られるインピーダンスの複素表現から実数部と虚数部を抽出する。
【００３９】
ステップＳ０５において、制御器１２２は、各周波数の測定データを、一般にコール・コールプロットもしくは複素平面プロットと呼ばれる表現法を用いて表現する。  
図４は、測定結果をコール・コールプロットで表した図である。図４の縦軸はインピーダンスの虚数部を表し、横軸は実数部を表している。そして、スイープした周波数毎に測定した複数の点を三角印でプロットしている。
【００４０】
ステップＳ０６において、制御器１２２は、得られた測定値と合致するように電池の等価回路の各パラメータをフィッティングにより決定する。  
図５は、フィッティングに使用する電池の等価回路を示す図である。この等価回路によれば、高周波領域ではＣのインピーダンスが無視できＲＳＯＬのみの回路と等価であるため、回路インピーダンスの虚数部は０となる。従って、コール・コールプロットにおける原点から実数部軸に最初にプロットされた点が現れるまでの距離がＲＳＯＬに相当する。また低周波領域ではＣのインピーダンスは無限大と考えられ、フィッティング結果である半円曲線の直径がＲＣＴに相当する。
【００４１】
なお、上述の等価回路は、電池のインピーダンスを表す一つのモデルであり、この他にもバリエーションの等価回路が存在する。本実施の形態では、インピーダンスを表す等価回路とのフィッティングによってＲＳＯＬ、ＲＣＴを特定することを主張している。
【００４２】
以上説明した方法の他に、交流発振部１１１が予め各周波数の正弦波を重畳した交流を印加し、制御器１２２が得られた電圧電流波形をフーリエ変換することにより各周波数に対応するインピーダンス成分を求め、等価回路をフィッテイングする方法を用いても良い。
【００４３】
ステップＳ０７において、制御器１２２は、得られたＲＳＯＬおよびＲＣＴをＢＭＳ２１０に通信線を介して送信する。  
ＢＭＳ２１０は送信されたＲＳＯＬおよびＲＣＴと共に、電圧温度測定器２１１が測定した電池パック各部の温度、電圧に関する情報を暗号化した後、不揮発性メモリ２１３に保存する。図６は、不揮発性メモリ２１３に保存される情報を例示する図である。
【００４４】
なお、上述の形態では電池パック内の特定の１セルを対象として測定したが、複数セルを対象として測定しても良い。また対象とするセルは電池モジュールの中央部に設けられたものに限られず、温度条件の悪い端部に設けられたものであっても良い。電池パック内の全セルを対象として上述の測定をすることもできるが、診断装置１００のコスト増につながる。測定対象セル数はコスト増との関係を比較考量して決定すれば良い。
【００４５】
続いて電池の現在価値を判定する方法について説明する。  
電池の現在価値は、得られたＲＳＯＬとＲＣＴと、電池評価で得られた劣化傾向データを基に、残りの使用可能サイクル数を求めることにより行う。
【００４６】
図７は、使用可能サイクル数を算出する方法を示す図である。図７には、ある使用条件の下での標準の電池性能の劣化傾向データの推移が使用サイクル数を共通パラメータとして示されている。なお、図７のグラフの座標系は、図１のグラフの座標系と同じであるため、その詳細の説明は省略する。
【００４７】
ある時点で抵抗値を測定した結果、ＲＳＯＬが２０ｍΩ、ＲＣＴが５ｍΩであったとする。それぞれの測定点を図７のＲＳＯＬ、ＲＣＴ曲線上にプロットする。図７では、それぞれ▲点、●点で表されている。  
ＲＳＯＬ曲線では、約６００サイクル使用した状態に相当しているのに対し、ＲＣＴ曲線では、約７００サイクル使用した状態に相当している。そうすると、ＲＣＴの方がＲＳＯＬより劣化が進んでいることが分かる。従って以降の処理では、ＲＣＴを判定のための指標とする。
【００４８】
ところで、ある電気自動車に使用される電池の下限性能が、放電容量６Ａｈ以上、放電時間８分であった場合、ＲＣＴから求めた現在サイクル数（７００サイクル）からそれぞれの下限値に達するまでのサイクル数を求める。  
放電時間では、下限に達するときのサイクル数が９５０サイクルであるため、残サイクル数は２５０サイクルとなる。放電容量では、下限に達するときのサイクル数が９００サイクルであるため、残サイクル数は２００サイクルとなる。
【００４９】
放電容量が下限に達するまでの残サイクル数が、放電時間が下限に達するまでの残サイクル数よりも小さいと予想できることから、本例では、電池の現在価値は残り使用可能回数２００サイクルと判定する。
【００５０】
なお、放電容量、放電時間とＲＳＯＬ、ＲＣＴとの関係は、電池の形式などによって異なる。従って、図７に示すそれぞれの標準曲線は電池の形式などに対応して作成されている。
【００５１】
［第２の実施の形態］  
第２の実施の形態では、測定したＲＳＯＬ、ＲＣＴに加え、測定した電流容量を用いて電池の現在価値を判定する点が第１の実施の形態と異なっている。従って、第１の実施の形態と同一の部位には同一の符号を付して、詳細の説明は省略する。
【００５２】
第２の実施の形態では、第１の実施の形態と同様に、電気自動車の定期診断などにおいて、電池パック２００と診断装置１００とが接続された状態でＲＳＯＬ、ＲＣＴが測定される。
【００５３】
次に、電池の複数Ｃレートでの容量を測定する。  
なお、診断装置１００の充放電器１２０は、ステップダウン放電とステップダウン充電の機能を備えており、１Ｃ、２Ｃ、４Ｃ、８Ｃの各Ｃレートにおける電池容量を測定可能である。
【００５４】
図８は、充放電を行って各Ｃレートでの容量を求める概略の処理手順を示すフロー図である。
【００５５】
ステップＳ１１において、制御器１２２が充放電を制御するモードに切り替えられて、開始スイッチ１２１がオンされると、ステップＳ１２において、まず制御器１２２は充放電器１２０を制御し８Ｃ放電を行う。１Ｃは公称容量を１時間で放電する時の電流を意味する。従って、８Ｃは１Ｃの電流の８倍の電流で放電することを表している。
【００５６】
ステップＳ１３において、制御器１２２は、電池パック２００の総電圧が過放電検出のための閾値電圧ＶＬに達したことをＢＭＳ２１０からの通信によって検出すると、放電を停止し、その際に放電した電流積算量ＱＬ１をＢＭＳ２１０からの通信によって取得して記録する。
【００５７】
次にステップＳ１４において、制御器１２２は充放電器１２０を制御し４Ｃ放電を開始する。８Ｃよりも少ない４Ｃ放電電流を使用することによって内部抵抗による電圧降下が減少するため、電池パック２００の総電圧は閾値電圧ＶＬよりも高くなり、更に放電を進めることができる。ステップＳ１５において、制御器１２２は８Ｃ放電と同様に閾値電圧ＶＬに達したことを検出すると、放電を停止し、その際に放電した電流積算量ＱＬ２を記録する。
【００５８】
次にステップＳ１６において、制御器１２２は充放電器１２０を制御し２Ｃ放電を開始する。以下ステップＳ１７〜ステップ１９において、同様に１Ｃ放電までの動作を実行して電流積算量ＱＬ３、ＱＬ４を得る。
【００５９】
次にステップＳ２０において、制御器１２２は充放電器１２０を制御し８Ｃ充電を行う。ステップＳ２１において、制御器１２２は、電池パック２００の総電圧が過充電検出のための閾値電圧ＶＨに達したことを検出すると、充放電器１２０を制御して充電を停止して、その際に放電した電流積算量ＱＨ１を記録する。
【００６０】
次にステップＳ２２において、制御器１２２は充放電器１２０を制御し４Ｃ充電を行う。以下ステップＳ２３〜ステップ２７において、同様に１Ｃ充電までの動作を実行して電流積算量ＱＨ２、ＱＨ３、ＱＨ４を得て、充放電を停止する。ステップＳ２８において、制御器１２２は各Ｃレート時の容量を求める。  
図９は、充放電によって得られる電流積算量ＱＬ１〜ＱＬ４、ＱＨ１〜ＱＨ４の関係を示す図である。また制御器１２２は、図９の下部に示す式に従って、各Ｃレート時の容量を計算する。
【００６１】
その後、制御器１２２は１Ｃ、２Ｃ、４Ｃ、８Ｃの各電池パック容量をＢＭＳ２１０に通知する。ＢＭＳ２１０は、充放電時の温度と各Ｃレート時の容量を、暗号化した後、不揮発性メモリ２１３に記録する。記録される内容は、図６に示す情報に各Ｃレート時の容量が付加されたものとなる。
【００６２】
続いて電池パック２００の現在価値を判定する方法について説明する。
【００６３】
制御器１２２は、ＢＭＳ２１０と通信を行って、過去のＲＳＯＬ、ＲＣＴおよび各Ｃレート時の電池容量の履歴情報を取得する。そして取得した履歴情報の内、測定時温度が１５〜２５℃のものを抽出する。測定時温度を抽出の条件としているのは、電池の性能は温度によって影響されるためである。なお、この温度は電池の特性、当該電池を搭載した自動車が使用される地域に応じて決定しても良い。
【００６４】
次に、取得した履歴情報を、横軸を時間軸とするデカルト座標にプロットし、リファレンス情報と比較する。リファレンス情報とは、電池パックを評価するために様々な条件下で測定された電池の劣化傾向を表すデータである。リファレンス情報は、複数温度条件について準備され、指定された温度条件に最も近い温度条件のリファレンス情報が選択される。そして、リファレンス情報は、複数の温度条件にそれぞれ対応した複数のパターンを持つ。
【００６５】
図１０は、各Ｃレート容量でのリファレンス情報例を示す図である。図１１は、ＲＳＯＬ、ＲＣＴでのリファレンス情報例を示す図である。  
図１０の左上の座標を例として説明する。測定により得られた８Ｃレート時電池容量の履歴情報をプロットする。この履歴情報は▲点で表されている。次に、リファレンス情報として表されている各パターン（パターンＡ〜Ｃ）の中から履歴情報に最も合致するものを選択する。この例では、パターンＡが選択できる。
【００６６】
他の指標についても同様にしてパターンを選択する。その結果、図１０に示すように、４Ｃレート時電池容量ではパターンＢが選択される。２Ｃレート時電池容量ではパターンＣが選択される。１Ｃレート時電池容量ではパターンＡが選択される。図１１に示すように、ＲＳＯＬではパターンＣが選択される。ＲＣＴではパターンＢが選択される。
【００６７】
次に、それぞれの指標毎に点数を求める。  
図１２は、点数を求めるための点数表を示す図である。当該電池の使用年数が２年とする。
【００６８】
８Ｃレート時電池容量ではパターンＡが選択されるため点数は９である。４Ｃレート時電池容量ではパターンＢが選択されるため点数は７である。２Ｃレート時電池容量ではパターンＣが選択されるため点数は６である。１Ｃレート時電池容量ではパターンＡが選択されるため点数は９である。ＲＳＯＬではパターンＣが選択されるため点数は５である。ＲＣＴではパターンＢが選択されるため点数は７である。
【００６９】
上述の点数表は、点数が高いほど価値が高くなるように設定されている。しかし、これらの点数を単純に加算するだけでは電池の価値を正しく評価しているとはいえない。なぜならば、ここで求めた点数は過去の履歴に基づいた点数となっているからである。電池の価値は将来の使用に対して与えられるものでなければならない。
【００７０】
そこで、将来の使用、即ち用途によってそれぞれの指標に重みを付与する。  
図１３は、電池の用途に応じた係数を表す係数表を示す図である。上述の指標にこの係数表から得た係数を乗じた値をそれぞれ合算した値を電池パックの現在価値とする。
【００７１】
例えば、電池を将来車載用に使用する場合の電池の価値は、２６．６（＝９×１＋７×０．５＋６×０．２＋９×０．１＋５×１．０＋７×１．０）となる。また、電池を将来バイク用に使用する場合の電池の価値は、１９．７（＝９×０．４＋７×０．５＋６×０．３＋９×０．３＋５×０．５＋７×０．８）となる。
【００７２】
以上のように、電池のそれぞれの特性について、これまでの履歴情報を取得して、この履歴情報からそれぞれの特性について、劣化状態を数値化する。そして、将来の用途に対応した係数で前記数値を重み付けした新たな数値を求めて、この新たな数値を合算した値を電池の価値評価値とすることで合理的な電池の現在価値判定を行うことが可能となる。
【００７３】
また、使用する電池の特性として、ＲＳＯＬ、ＲＣＴを用いることで、精度の良く電池の劣化状態を判定することができる。
【００７４】
［第３の実施の形態］  
第２の実施の形態では、１Ｃ、２Ｃ、４Ｃ、８Ｃの各電流での電池容量を充放電器１２０の充放電動作を制御して測定した。これに対して第３の実施の形態では、充電のみの動作によって指標を測定する点が第２の実施の形態と異なっている。従って、第１の実施の形態と同一の部位には同一の符号を付して、詳細の説明は省略する。
【００７５】
図１４は、充電によって得られる時間ＴＨ４、時間ＴＨ１の関係を示す図である。図１４を参照しつつ制御器１２２の動作を説明する。
【００７６】
電池パック２００に診断装置１００が接続され、制御器１２２が充電を制御するモードに切り替えられて、開始スイッチ１２１がオンされると、制御器１２２は充放電器１２０を制御し８Ｃ充電を行う。制御器１２２は、電池パック２００の総電圧が過充電検出のための閾値電圧ＶＨに達したことをＢＭＳ２１０からの通信によって検出すると、充放電器１２０を制御して充電を停止し、その時点の時間ＴＨ１を記録し、次に４Ｃ充電を行う。
【００７７】
４Ｃ充電において、電池パック２００の総電圧が過充電検出のための閾値電圧ＶＨに達したことを検出すると、充電を停止し、以下同様に２Ｃ充電、１Ｃ充電を行い、１Ｃ充電終了時点の時間ＴＨ４を記録する。
【００７８】
その後、制御器１２２は得られる時間情報（ＴＨ４−ＴＨ１）を、電池パック２００内のＢＭＳ２１０に通知する。ＢＭＳ２１０は、充電時の温度と時間情報（ＴＨ４−ＴＨ１）とを、暗号化した後、不揮発性メモリ２１３に記録する。
【００７９】
電池の劣化が進み、電池の内部抵抗が増大すると、上述の時間（ＴＨ４−ＴＨ１）も増大していくと考えられる。従って、上述の時間は、大電流時の電池容量の劣化傾向指標の代替とすることができる。
【００８０】
［実施の形態の効果］
本発明の第１の実施の形態で述べた診断装置１００を用いた評価手法により、将来の電池の現在価値を確度高く判定することが可能となる。また、第２の実施の形態に代表される診断装置１００を用いた判定手法により、将来の用途に応じた価値算定が可能となる。また、第３の実施の形態で述べた診断方法では、ステップダウン充電における高レート充電終了から低レート充電終了までの時間を、高レートにおける電池容量の代替指標とする。これにより充電器１２０に放電機能を搭載する必要がなくなり、診断装置１００の設計を簡素化、コストを低減させることができる。また、測定されたデータを暗号化して不揮発性メモリなどのデータストレージに保存するＢＭＳにより、データの改ざんを防ぎ、電池の正確・公平な価値算定を保障することができる。
【００８１】
なお、上述の実施の形態では、履歴情報は電池パック２００の不揮発性メモリ２１３に格納しているが、この形態に限られず、例えば電池価値を評価するための情報を一元的に管理するデータ集積会社に、履歴情報として集約して保存させても良い。そして、データ集積会社において、本実施の形態の診断装置が実施している電池価値の判定を実行するようにしても良い。
【００８２】
なお、上述の実施の形態で説明した各機能は、ハードウエアを用いて構成しても良く、また、ソフトウエアを用いて各機能を記載したプログラムをコンピュータに読み込ませて実現しても良い。また、各機能は、適宜ソフトウエア、ハードウエアのいずれかを選択して構成するものであっても良い。
【００８３】
更に、各機能は図示しない記録媒体に格納したプログラムをコンピュータに読み込ませることで実現させることもできる。ここで本実施の形態における記録媒体は、プログラムを記録でき、かつコンピュータが読み取り可能な記録媒体であれば、その記録形式は何れの形態であってもよい。
【００８４】
尚、本発明は、上記実施形態そのままに限定されるものではなく、実施段階ではその要旨を逸脱しない範囲で構成要素を変形して具体化できる。  
また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【００８５】
ＲＳＯＬ…電解液抵抗成分、ＲＣＴ…電荷移行抵抗成分、ＳＯＣ…電池残量、１００…診断装置、１１０…交流インピーダンス法測定器、１１１…交流発振部、１１２…電圧測定器、１１３…電流測定器、１２０…充放電器、１２１…開始スイッチ、１２２…制御器、２００…電池パック、２０１，２０２…電池モジュール、２０３…接続端子、２０４…接続端子、２０５…端子、２０６…通信端子、２１０…ＢＭＳ、２１１…電圧温度測定器、２１２…電流検出器、２１３…不揮発性メモリ。
【図１】
0005586219.tif 000002
【図２】
0005586219.tif 000003
【図３】
0005586219.tif 000004
【図４】
0005586219.tif 000005
【図５】
0005586219.tif 000006
【図６】
0005586219.tif 000007
【図７】
0005586219.tif 000008
【図８】
0005586219.tif 000009
【図９】
0005586219.tif 000010
【図１０】
0005586219.tif 000011
【図１１】
0005586219.tif 000012
【図１２】
0005586219.tif 000013
【図１３】
0005586219.tif 000014
【図１４】
0005586219.tif 000015